【手続補正書】
【提出日】平成31年4月5日(2019.4.5)
【手続補正１】
【補正対象書類名】明細書
【補正対象項目名】００４８
【補正方法】変更
【補正の内容】
【００４８】
本明細書において特定の実施形態が例示及び説明されてきたが、本発明の範囲から逸脱することなく、多様な代替及び／又は同等の実施態様が図示され説明された特定の実施形態と置き換えられ得ることは、当業者には明白であろう。本出願は、本明細書において説明した具体的な実施形態のいかなる適合例又は変形例をも包含することを意図している。したがって、本発明が請求項及びその同等物によってのみ限定されることを意図するものである。
［付記］
（付記１）
電気ケーブルを回路基板に電気的に接続するためのコネクタであって、
絶縁ハウジングであって、前記ハウジングの互いに向かい合う最上部主表面と最下部主表面との間に延びる複数の受け入れスルーホールが画定された絶縁ハウジングと、
複数の自己支持型端子と、を備え、各自己支持型端子が、
対応する受け入れスルーホールに受け入れられ、前記端子を前記ハウジング内で保持する保持部と、
前記保持部の上端から前記保持部に対して実質的に直角方向に延び、前記ハウジングの前記最上部主表面に配設され、電気ケーブルの導線と電気的及び物理的に係合するようになっている接触部と、
前記保持部の下端から前記保持部に対して実質的に平行方向に延び、前記最下部主表面から下方に延び、回路基板の導電ビアに挿入されるようになっているプレスフィット部と、を備えるコネクタ。
（付記２）
前記コネクタを回路基板に装着するために前記最下部主表面から下方に延びる複数の整合脚を更に備える、付記１に記載のコネクタ。
（付記３）
前記複数の受け入れスルーホールが、少なくとも２列で、互い違いに配置されている、付記１に記載のコネクタ。
（付記４）
前記複数の受け入れスルーホールが、１列以上に配置されている、付記１に記載のコネクタ。
（付記５）
各自己支持型端子が、前記保持部の前記上端を前記接触部に連結する湾曲した曲がり部を更に含む、付記１に記載のコネクタ。
（付記６）
前記絶縁ハウジングの前記最上部主表面が、前記複数の受け入れスルーホールに近接する隆起した台を含み、前記複数の自己支持型端子の前記接触部が、前記隆起した台上に置かれる、付記１に記載のコネクタ。
（付記７）
前記隆起した台が、前記複数の受け入れスルーホールにより近い第１の隆起した縁と、前記複数の受け入れスルーホールからより遠い反対側の第２の隆起した縁とを含む、付記６に記載のコネクタ。
（付記８）
前記隆起した台が、その中に形成された複数の溝を含み、各溝が、対応する自己支持型端子の前記接触部を受け入れる、付記６に記載のコネクタ。
（付記９）
前記複数の自己支持型端子の少なくとも前記接触部を保護するために、前記絶縁ハウジングに取り外し可能に組み付けられたカバーを更に含み、前記カバーに、前記自己支持型端子の一部を露出させる開口が画定されている、付記１に記載のコネクタ。
（付記１０）
各自己支持型端子の前記接触部の一部及び前記保持部の前記上端のうちの少なくとも１つが、前記開口を通して露出し、かつアクセス可能である、付記９に記載のコネクタ。
（付記１１）
各自己支持型端子が、前記自己支持型端子の前記プレスフィット部を前記回路基板の前記導電ビアに圧入するために、前記保持部の前記上端にプレス部を備える、付記１に記載のコネクタ。
（付記１２）
前記保持部が前記接触部よりも広い、付記１に記載のコネクタ。
（付記１３）
前記接触部が第１の幅によって特徴づけられ、前記保持部が第２の幅によって特徴づけられ、前記第１の幅と前記第２の幅との間に差が存在する、付記１に記載のコネクタ。
（付記１４）
前記保持部及び前記接触部の幅の前記差が、前記自己支持型端子の前記プレスフィット部を前記回路基板の前記導電ビアに圧入するために、各自己支持型端子の前記保持部の前記上端にプレス部を画定する、付記１３に記載のコネクタ。
（付記１５）
少なくとも１つの自己支持型端子について、前記接触部が前記保持部に対して横方向にオフセットされている、付記１に記載のコネクタ。
（付記１６）
少なくとも一対の隣接する自己支持型端子について、前記接触部間の間隔が前記プレスフィット部間の間隔より小さい、付記１に記載のコネクタ。
（付記１７）
複数の導電ビアを含む回路基板に複数の導線を電気的に接続するコネクタを備えるコネクタアセンブリであって、前記コネクタが、
ハウジングであって、前記ハウジングの互いに向かい合う最上部主表面と最下部主表面との間に延びる複数の受け入れスルーホールが画定されたハウジングと、
複数の自己支持型端子と、を備え、各自己支持型端子が、
前記端子を前記ハウジング内で保持するために、対応する受け入れスルーホールに受け入れられる保持部と、
前記保持部の上端から前記保持部に対して実質的に直角方向に延び、前記ハウジングの前記最上部主表面に配設され、前記複数の導線のうちの対応する導線に電気的及び物理的に取り付けられた接触部と、
前記保持部の下端から前記保持部に対して実質的に平行方向に延び、前記最下部主表面から下方に延び、前記回路基板の対応する導電ビアに挿入されて前記導電ビアと電気的に接触するプレスフィット部とを含む、コネクタアセンブリ。
（付記１８）
各導線が、対応する自己支持型端子の前記接触部にはんだ付けされる、付記１７に記載のコネクタアセンブリ。
（付記１９）
前記コネクタが、前記複数の自己支持型端子の少なくとも前記接触部を保護するために、前記絶縁ハウジングに取り外し可能に組み付けられたカバーを更に含む、付記１７に記載のコネクタアセンブリ。
（付記２０）
前記カバーは、前記接触部と前記カバーとの間で前記導線をクランプすることによって、前記導線を前記接触部と電気接触させた状態に保持することができる、付記１９に記載のコネクタアセンブリ。
（付記２１）
前記カバーに開口が形成され、各自己支持型端子の前記接触部の一部及び前記保持部の前記上端のうちの少なくとも１つが前記開口を通してアクセス可能である、付記１９に記載のコネクタアセンブリ。
（付記２２）
前記複数の導線が、少なくとも１つの接地線と、少なくとも１つの信号線と、少なくとも１つの電力線とを含む、付記１７に記載のコネクタアセンブリ。
（付記２３）
前記複数の導線がシールド電気ケーブルの一部であり、前記ケーブルは、１つ以上の導体セット及び少なくとも１つのドレイン線であって、各導体セットは前記ケーブルの長さに沿って延び、１つ以上の絶縁された導体を含み、各絶縁された導体は誘電体材料によって取り巻かれた中心導体を含む、１つ以上の導体セット及び少なくとも１つのドレイン線と、
前記導体セット及び前記少なくとも１つのドレイン線の互いに向かい合う第１及び第２の面に配設された第１及び第２の導電性シールド膜であって、カバー部及び挟み付け部を含み、前記カバー部及び挟み付け部は、断面において前記第１及び第２の導電性シールド膜の前記カバー部の組み合わせにより各導体セット及び前記少なくとも１つのドレイン線を実質的に取り巻くように配置され、前記第１及び第２のシールド膜の前記挟み付け部の組み合わせにより、前記導体セットの両側及び前記少なくとも１つのドレイン線の両側に前記ケーブルの挟み付け部を形成する、第１及び第２の導電性シールド膜と、
前記ケーブルの前記挟み付け部において前記第１のシールド膜を前記第２のシールド膜に接着する接着剤層と、を含み、前記ケーブルの前記絶縁された導体の各々及び前記少なくとも１つのドレイン線が、対応する自己支持型端子の前記接触部に物理的及び電気的に取り付けられる、付記１７に記載のコネクタアセンブリ。
（付記２４）
前記複数の導線がシールド電気ケーブルの一部であり、前記ケーブルが、
前記ケーブルの長さに沿って延び、概ね前記ケーブルの幅に沿った平面内に配置された複数の差動ペアであって、各差動ペアが２つ以上の絶縁された導体を含み、各差動ペアがシールドによって実質的に取り巻かれる、複数の差動ペアと、
前記ケーブルの互いに反対側に配設された第１及び第２の非導電性高分子層であって、前記第１及び第２の層がカバー部及び挟み付け部を含み、前記カバー部及び挟み付け部は、横断面において前記第１及び第２の層の前記カバー部の組み合わせにより、前記複数の差動ペアを実質的に取り巻くように配置され、前記第１及び第２の層の前記挟み付け部の組み合わせにより、前記複数の差動ペアの両側に前記ケーブルの挟み付け部を形成する、第１及び第２の非導電性高分子層と、
前記ケーブルの前記挟み付け部において前記第１の非導電性高分子層を前記第２の非導電性高分子層に接着する接着剤層とを含み、前記ケーブルの前記絶縁された導体の各々が、対応する自己支持型端子の前記接触部に物理的及び電気的に取り付けられる、付記１７に記載のコネクタアセンブリ。
（付記２５）
電気ケーブルを回路基板に電気的に接続するためのコネクタであって、
複数の受け入れスルーホールが画定された絶縁ハウジングと、
複数の自己支持型端子とを含み、各自己支持型端子が、
対応する受け入れスルーホールに受け入れられ、前記端子を前記ハウジング内で保持する保持部と、
前記保持部の上端から延び、前記ハウジング内に配設され、電気ケーブルの導線と電気的及び物理的に係合するようになっている接触部と、
前記保持部の下端から延び、前記下面から延びて回路基板の導電ビアに挿入されるようになっているプレスフィット部と、
前記保持部の前記上端にあり、前記ハウジングの外側に露出したプレス部であって、前記コネクタを回路基板にはめ合わせるとき、前記プレス部が外部から押されることによって前記プレスフィット部が前記回路基板の導電ビアに挿入されるようになっている、プレス部とを含む、コネクタ。
（付記２６）
前記保持部及び前記接触部の幅の差が、各自己支持型端子の前記保持部の前記上端に前記プレス部を画定する、付記２５に記載のコネクタ。
（付記２７）
複数の線を回路基板内の複数の導電ビアに電気的に接続する方法であって、
回路基板内に形成された複数の導電ビアを含む回路基板を設けることと、
絶縁ハウジングであって、前記ハウジングの互いに向かい合う最上部主表面と最下部主表面との間に延びる複数の受け入れスルーホールが画定された絶縁ハウジングを設けることと、  前記絶縁ハウジングの前記最上部主表面から各受け入れスルーホールに自己支持型端子を挿入することであって、前記自己支持型端子は、前記絶縁ハウジングの前記最上部主表面に配設された接触部と、前記端子を前記絶縁ハウジング内に保持するために前記受け入れスルーホールに受け入れられる保持部と、前記絶縁ハウジングの前記最下部主表面から下方に延びるプレスフィット部とを含む、ことと、
導線の露出した導電性端部を各自己支持型端子の前記接触部に電気的及び物理的に接続することと、
前記絶縁ハウジングの前記最上部主表面にカバーを組み付けることであって、前記カバーに開口が画定され、各自己支持型端子の一部が前記開口を通して露出し、かつアクセス可能である、ことと、
各自己支持型端子の前記プレスフィット部が対応する導電ビアと位置合わせされるように、前記絶縁ハウジングを前記回路基板上に設置することと、
前記開口を通して露出した少なくとも１つの自己支持型端子の前記部分にアクセスし、前記少なくとも１つの自己支持型端子の前記プレスフィット部が前記対応する導電ビアに挿入されるまで前記露出した部分を押すことと、を含む方法。
【手続補正２】
【補正対象書類名】特許請求の範囲
【補正対象項目名】全文
【補正方法】変更
【補正の内容】
【特許請求の範囲】
【請求項１】
電気ケーブルを回路基板に電気的に接続するためのコネクタであって、
絶縁ハウジングであって、前記ハウジングの互いに向かい合う最上部主表面と最下部主表面との間に延びる複数の受け入れスルーホールが画定された絶縁ハウジングと、
複数の自己支持型端子と、を備え、各自己支持型端子が、
対応する受け入れスルーホールに受け入れられ、前記端子を前記ハウジング内で保持する保持部と、
前記保持部の上端から前記保持部に対して実質的に直角方向に延び、前記ハウジングの前記最上部主表面に配設され、電気ケーブルの導線と電気的及び物理的に係合するようになっている接触部と、
前記保持部の下端から前記保持部に対して実質的に平行方向に延び、前記最下部主表面から下方に延び、回路基板の導電ビアに挿入されるようになっているプレスフィット部と、を備えるコネクタ。
【請求項２】
複数の導電ビアを含む回路基板に複数の導線を電気的に接続するコネクタを備えるコネクタアセンブリであって、前記コネクタが、
ハウジングであって、前記ハウジングの互いに向かい合う最上部主表面と最下部主表面との間に延びる複数の受け入れスルーホールが画定されたハウジングと、
複数の自己支持型端子と、を備え、各自己支持型端子が、
前記端子を前記ハウジング内で保持するために、対応する受け入れスルーホールに受け入れられる保持部と、
前記保持部の上端から前記保持部に対して実質的に直角方向に延び、前記ハウジングの前記最上部主表面に配設され、前記複数の導線のうちの対応する導線に電気的及び物理的に取り付けられた接触部と、
前記保持部の下端から前記保持部に対して実質的に平行方向に延び、前記最下部主表面から下方に延び、前記回路基板の対応する導電ビアに挿入されて前記導電ビアと電気的に接触するプレスフィット部とを含む、コネクタアセンブリ。
【請求項３】
電気ケーブルを回路基板に電気的に接続するためのコネクタであって、
複数の受け入れスルーホールが画定された絶縁ハウジングと、
複数の自己支持型端子とを含み、各自己支持型端子が、
対応する受け入れスルーホールに受け入れられ、前記端子を前記ハウジング内で保持する保持部と、
前記保持部の上端から延び、前記ハウジング内に配設され、電気ケーブルの導線と電気的及び物理的に係合するようになっている接触部と、
前記保持部の下端から延び、前記下面から延びて回路基板の導電ビアに挿入されるようになっているプレスフィット部と、
前記保持部の前記上端にあり、前記ハウジングの外側に露出したプレス部であって、前記コネクタを回路基板にはめ合わせるとき、前記プレス部が外部から押されることによって前記プレスフィット部が前記回路基板の導電ビアに挿入されるようになっている、プレス部とを含む、コネクタ。
【請求項４】
複数の線を回路基板内の複数の導電ビアに電気的に接続する方法であって、
回路基板内に形成された複数の導電ビアを含む回路基板を設けることと、
絶縁ハウジングであって、前記ハウジングの互いに向かい合う最上部主表面と最下部主表面との間に延びる複数の受け入れスルーホールが画定された絶縁ハウジングを設けることと、
前記絶縁ハウジングの前記最上部主表面から各受け入れスルーホールに自己支持型端子を挿入することであって、前記自己支持型端子は、前記絶縁ハウジングの前記最上部主表面に配設された接触部と、前記端子を前記絶縁ハウジング内に保持するために前記受け入れスルーホールに受け入れられる保持部と、前記絶縁ハウジングの前記最下部主表面から下方に延びるプレスフィット部とを含む、ことと、
導線の露出した導電性端部を各自己支持型端子の前記接触部に電気的及び物理的に接続することと、
前記絶縁ハウジングの前記最上部主表面にカバーを組み付けることであって、前記カバーに開口が画定され、各自己支持型端子の一部が前記開口を通して露出し、かつアクセス可能である、ことと、
各自己支持型端子の前記プレスフィット部が対応する導電ビアと位置合わせされるように、前記絶縁ハウジングを前記回路基板上に設置することと、
前記開口を通して露出した少なくとも１つの自己支持型端子の前記部分にアクセスし、前記少なくとも１つの自己支持型端子の前記プレスフィット部が前記対応する導電ビアに挿入されるまで前記露出した部分を押すことと、を含む方法。